(57)【要約】【課題】ピペットの個体管理が容易となるように、ピペットに記されたシリアルコードを表すものを用いて、当該ピペットについての情報を取得すること。【解決手段】シリアルコード画像に基づいてシリアルコードの少なくとも一部を認識すること、及び、シリアルコードの少なくとも一部の入力を受けることの一方又は双方によってシリアルコードを取得し、シリアルコードに関連付けて記憶された１以上のピペットについての情報を記憶したデータベースから、取得した前記シリアルコードに関連付けられた１以上のピペットについての情報を取得し、取得した前記１以上のピペットについての情報の少なくとも一部を表示するための出力を生成するように構成されたピペット個体管理システムが提供される。【選択図】図１
2018152111.tif 000002
【特許請求の範囲】
【請求項１】
シリアルコード画像に基づいてシリアルコードの少なくとも一部を認識すること、及び、シリアルコードの少なくとも一部の入力を受けることの一方又は双方によってシリアルコードを取得し、
シリアルコードに関連付けて記憶された１以上のピペットについての情報を記憶したデータベースから、取得した前記シリアルコードに関連付けられた１以上のピペットについての情報を取得し、
取得した前記１以上のピペットについての情報の少なくとも一部を表示するための出力を生成する
ように構成されたピペット個体管理システム。
【請求項２】
請求項１に記載のシステムであって、撮像のためのパラメータが変更可能な撮像装置を含み、変更された前記パラメータを記憶し、記憶された前記パラメータを反映させて前記撮像装置が前記シリアルコード画像を撮像するように更に構成されたシステム。
【請求項３】
請求項２に記載のシステムであって、前記シリアルコード画像を撮像するための前記パラメータは、
デジタル・ズームの倍率、
光学ズームの倍率、
ホワイトバランス、
ＩＳＯ感度、
シャッター速度、
絞り（Ｆ値）、
ＥＶ値、
アンチバンディング、
フラッシュ、
シーン、
カラーエフェクト、及び、
フィルタ
のうちの１以上を含む、システム。
【請求項４】
請求項１から３のうちの何れか一項に記載のシステムであって、シリアルコード画像に基づいてシリアルコードの少なくとも一部を認識することは、
前記シリアルコード画像から文字列を取得することと、
前記文字列の文字数が所定の数であるかを判定すること、及び、前記文字列に含まれる第１の文字を対応する第２の文字に変更することの一方又は双方と
を含み、第１の文字を対応する第２の文字に変更するために前記第１の文字と対応する前記第２の文字との１以上の組を記憶可能としたシステム。
【請求項５】
請求項１から４のうちの何れか一項に記載のシステムであって、ユーザ特定情報及びシリアルコードを含む第１要求に基づいて、前記データベースに記憶された前記１以上のピペットについての情報のうちの、前記シリアルコードに関連付けられたピペットについての情報を、前記ユーザ特定情報により特定されるユーザに関連付けるように更に構成されたシステム。
【請求項６】
請求項５に記載のシステムであって、ユーザ特定情報及びピペット特定情報を含む第２要求に基づいて、前記データベースに記憶された前記１以上のピペットについての情報のうちの特定のピペットについての情報の少なくとも一部を表示するための出力を生成するように更に構成され、前記特定のピペットについての情報は、前記ピペット特定情報により特定される１以上のピペットについての情報であって、前記ユーザ特定情報により特定されるユーザに関連付けられた前記１以上のピペットについての情報である、システム。
【請求項７】
シリアルコード画像に基づいてシリアルコードの少なくとも一部を認識すること、及び、シリアルコードの少なくとも一部の入力を受けることの一方又は双方によってシリアルコードを取得するステップと、
シリアルコードに関連付けて記憶された１以上のピペットについての情報を記憶したデータベースから、取得した前記シリアルコードに関連付けられた１以上のピペットについての情報を取得するステップと、
取得した前記１以上のピペットについての情報の少なくとも一部を表示するステップと
を含む、コンピュータが実行する方法。
【請求項８】
請求項７に記載の方法であって、前記コンピュータは、撮像のためのパラメータが変更可能な撮像装置を含み、
変更された前記パラメータを記憶するステップと、
記憶された前記パラメータを反映させて前記撮像装置が前記シリアルコード画像を撮像するステップと
を更に含む方法。
【請求項９】
請求項８に記載の方法であって、前記シリアルコード画像を撮像するための前記パラメータは、
デジタル・ズームの倍率、
光学ズームの倍率、
ホワイトバランス、
ＩＳＯ感度、
シャッター速度、
絞り（Ｆ値）、
ＥＶ値、
アンチバンディング、
フラッシュ、
シーン、
カラーエフェクト、及び、
フィルタ
のうちの１以上を含む、方法。
【請求項１０】
請求項７から９のうちの何れか一項に記載の方法であって、シリアルコード画像に基づいてシリアルコードの少なくとも一部を認識する前記ステップは、
前記シリアルコード画像から文字列を取得するステップと、
前記文字列の文字数が所定の数であるかを判定するステップ、及び、第１の文字と対応する第２の文字との１以上の組を少なくとも一時的に記憶し、前記文字列に含まれる前記第１の文字を対応する前記第２の文字に変更するステップの一方又は双方と
を更に含む方法。
【請求項１１】
請求項７から１０のうちの何れか一項に記載の方法をコンピュータに実行させるプログラム。
【発明の詳細な説明】
【技術分野】
【０００１】
本発明は、ピペットの個体管理に関する。
【背景技術】
【０００２】
ピペット販売会社の営業担当者は、メンテナンス等のために、病院、工場、製薬会社や大学の研究室等、ピペットを購入したエンドユーザのもとを訪れることがある。しかしながら、現在、そのような出先で、ピペットの個体管理のために、目の前にあるピペットについての様々な情報（例えば、修理履歴）を取得可能なシステムは存在しない。
【０００３】
ピペットと技術分野は異なるが、内視鏡の管理に関して、特許文献１には、画像記録装置を介してネットワークによりサーバと接続された内視鏡システム２−ａが記載されている。特許文献１によれば、サーバは、内視鏡システム２−ａを構成する各内視鏡１０の固有の情報とともに、その内視鏡の使用状況、洗浄状態、洗浄有効期間等を一元的に管理するものである。しかしながら、特許文献１に記載の内視鏡システム２−ａは、内視鏡１０にその内視鏡１０に固有の情報が書き込まれたＥＥＰＲＯＭ３０を設けることを前提としており、従って、特許文献１に開示のシステムは、ＥＥＰＲＯＭが設けられていないピペットについての情報の管理には適用することができない。
【先行技術文献】
【特許文献】
【０００４】
【特許文献１】特開２００１−４６３２６号公報
【発明の概要】
【発明が解決しようとする課題】
【０００５】
本発明は、以上の点に鑑みてなされたものであり、その解決しようとする課題は、ピペットの個体管理が容易となるように、ピペットに記されたシリアルコードを表すものを用いて、当該ピペットについての情報を取得することである。
【課題を解決するための手段】
【０００６】
上述した課題を解決するために、本発明の実施形態によれば、シリアルコード画像に基づいてシリアルコードの少なくとも一部を認識すること、及び、シリアルコードの少なくとも一部の入力を受けることの一方又は双方によってシリアルコードを取得し、シリアルコードに関連付けて記憶された１以上のピペットについての情報を記憶したデータベースから、取得した前記シリアルコードに関連付けられた１以上のピペットについての情報を取得し、取得した前記１以上のピペットについての情報の少なくとも一部を表示するための出力を生成するように構成されたピペット個体管理システムが提供される。
【０００７】
一実施形態であるピペット個体管理システムは、撮像のためのパラメータが変更可能な撮像装置を含み、変更された前記パラメータを記憶し、記憶された前記パラメータを反映させて前記撮像装置が前記シリアルコード画像を撮像するように更に構成されていてよい。
【０００８】
一実施形態において、前記シリアルコード画像を撮像するための前記パラメータは、デジタル・ズームの倍率、光学ズームの倍率、ホワイトバランス、ＩＳＯ感度、シャッター速度、絞り（Ｆ値）、ＥＶ値、アンチバンディング、フラッシュ、シーン、カラーエフェクト、及び、フィルタのうちの１以上を含むことができる。
【０００９】
一実施形態において、シリアルコード画像に基づいてシリアルコードの少なくとも一部を認識することは、前記シリアルコード画像から文字列を取得することと、前記文字列の文字数が所定の数であるかを判定すること、及び、前記文字列に含まれる第１の文字を対応する第２の文字に変更することの一方又は双方とを含み、第１の文字を対応する第２の文字に変更するために前記第１の文字と対応する前記第２の文字との１以上の組を記憶可能とすることができる。
【００１０】
一実施形態であるピペット個体管理システムは、ユーザ特定情報及びシリアルコードを含む第１要求に基づいて、前記データベースに記憶された前記１以上のピペットについての情報のうちの、前記シリアルコードに関連付けられたピペットについての情報を、前記ユーザ特定情報により特定されるユーザに関連付けるように更に構成されていてよい。
【００１１】
一実施形態であるピペット個体管理システムは、ユーザ特定情報及びピペット特定情報を含む第２要求に基づいて、前記データベースに記憶された前記１以上のピペットについての情報のうちの特定のピペットについての情報の少なくとも一部を表示するための出力を生成するように更に構成され、前記特定のピペットについての情報は、前記ピペット特定情報により特定される１以上のピペットについての情報であって、前記ユーザ特定情報により特定されるユーザに関連付けられた前記１以上のピペットについての情報であってよい。
【００１２】
本発明の別の実施形態によれば、シリアルコード画像に基づいてシリアルコードの少なくとも一部を認識すること、及び、シリアルコードの少なくとも一部の入力を受けることの一方又は双方によってシリアルコードを取得するステップと、シリアルコードに関連付けて記憶された１以上のピペットについての情報を記憶したデータベースから、取得した前記シリアルコードに関連付けられた１以上のピペットについての情報を取得するステップと、取得した前記１以上のピペットについての情報の少なくとも一部を表示するステップとを含む、コンピュータが実行する方法が提供される。
【００１３】
一実施形態において、前記コンピュータは、撮像のためのパラメータが変更可能な撮像装置を含み、一実施形態である方法は、変更された前記パラメータを記憶するステップと、記憶された前記パラメータを反映させて前記撮像装置が前記シリアルコード画像を撮像するステップとを更に含んでいてよい。
【００１４】
一実施形態において、前記シリアルコード画像を撮像するための前記パラメータは、デジタル・ズームの倍率、光学ズームの倍率、ホワイトバランス、ＩＳＯ感度、シャッター速度、絞り（Ｆ値）、ＥＶ値、アンチバンディング、フラッシュ、シーン、カラーエフェクト、及び、フィルタのうちの１以上を含むことができる。
【００１５】
一実施形態において、シリアルコード画像に基づいてシリアルコードの少なくとも一部を認識する前記ステップは、前記シリアルコード画像から文字列を取得するステップと、前記文字列の文字数が所定の数であるかを判定するステップ、及び、第１の文字と対応する第２の文字との１以上の組を少なくとも一時的に記憶し、前記文字列に含まれる前記第１の文字を対応する前記第２の文字に変更するステップの一方又は双方とを更に含むことができる。
【００１６】
本発明のまた別の実施形態によれば、上記方法をコンピュータに実行させるプログラムが提供される。
【発明の効果】
【００１７】
本発明の実施形態によれば、ピペットに記されたシリアルコードを表すものを用いて、当該ピペットについての情報を取得することができる。
【図面の簡単な説明】
【００１８】
【図１】ピペット個体管理システム１００を表す図である。
【図２Ａ】ピペットを特定するための画面２００を表す図である。
【図２Ｂ】ピペットについての情報の少なくとも一部を表示するための画面２５０を表す図である。
【図２Ｃ】ピペットを特定するための画面２９０を表す図である。
【図３Ａ】ピペットについての情報を表示するための処理３００を表す図である。
【図３Ｂ】シリアルコード認識処理３５０を表す図である。
【図３Ｃ】ピペットについての情報を表示するための処理３９０を表す図である。
【図４Ａ】ピペットについてユーザ登録を行うための画面４００を表している。
【図４Ｂ】１以上のピペットについての情報を検索するための画面４５０を表している。
【図５Ａ】ユーザ登録処理５００を表す図である。
【図５Ｂ】ピペット情報検索処理５５０を表す図である。
【図６Ａ】データベース１３５の例示の内容６００Ａを表す図である。
【図６Ｂ】データベース１３５の例示の内容６００Ｂを表す図である。
【図７Ａ】ピペット個体管理システム７００を表す図である。
【図７Ｂ】ピペット個体管理システム７５０を表す図である。
【図８】コンピュータについて説明するための図である。
【発明を実施するための形態】
【００１９】
以下、本発明の実施形態について説明する。
１  本発明の一実施形態
１−１  本発明の一実施形態の概略構成
図１は、本発明の一実施形態であるピペット個体管理システム１００の一例を表す図である。１１０及び１２０は、システム１００におけるクライアントとして少なくとも機能するコンピュータ（以下、それぞれ「クライアント１１０」及び「クライアント１２０」という。）を示し、１３０は、システム１００におけるサーバとして少なくとも機能するコンピュータ（以下、「サーバ１３０」という。）を示し、１４０はインターネットを含む１以上のネットワークを示している。クライアント１１０及び１２０は、ネットワーク１４０を介して少なくともサーバ１３０と通信可能なように構成されている。ここで、クライアント１１０のユーザは例えばピペット販売会社の営業担当者であり、クライアント１２０のユーザは例えばピペットを購入したエンドユーザ（顧客）であり、サーバ１３０は例えばピペット販売会社が管理することを想定しているが、これに限定されるわけではない。
【００２０】
クライアント１１０の一例は、撮像装置としてのデジタル・カメラを備えたスマートフォンである。クライアント１１０の別例は、デジタル・カメラを備えたタブレットやラップトップＰＣであるが、クライアント１１０は、これらに限定されるわけではない。クライアント１１０は、ワイヤレスでネットワーク１４０に接続されることが好ましい。クライアント１１０には、ピペット個体管理のためのプログラム（以下、「アプリケーション」ともいう。）がインストールされており（記憶されていることを含む。以下同様。）、このアプリケーションは、クライアント１１０に、以下で説明する処理即ちピペット個体管理のための方法を実行させるものである。特に、クライアント１１０は、ピペット個体管理のためのアプリケーションによって、以下で説明するように、サーバ１３０に要求を行い、サーバ１３０からの応答に基づく表示を行うことになる。
【００２１】
クライアント１２０の一例は一般的なＰＣであるが、クライアント１２０はこれに限定されるわけではない。クライアント１２０にはウェブブラウザがアプリケーションとしてインストールされている。クライアント１２０は、ウェブブラウザによって、以下で説明するように、サーバ１３０に要求を行い、サーバ１３０からの応答に基づく表示を行うことになる。
【００２２】
サーバ１３０の一例はいわゆるクラウドサーバであるが、サーバ１３０はこれに限定されるわけではない。サーバ１３０には、ソフトウエアとしてのウェブサーバ及びその関連プログラム（データベース管理システム（ＤＢＭＳ）等）がインストールされている。サーバ１３０は、ウェブサーバ及びその関連プログラムの一方又は双方によって、以下で説明するように、クライアント１１０及び１２０からの要求を受け、処理（応答を含む）を行うことになる。
【００２３】
１３５は、サーバ１３０が含むか又はサーバ１３０に接続された、シリアルコードに関連付けられた１以上のピペットについての情報が記憶されたデータベースを示している。各ピペットについての情報は、シリアルコードと、
製品名、
製品コード、
ボリュームレンジ、
製品性能（カタログ精度、カタログ再現性及び製品特徴のうちの少なくとも１つを含む）、
製造日、
製造場所、
出荷時の測定データ、
保障有効期限、
検定・修理履歴、
修理履歴と修理状態からピペットを分析した検定データ、
次回の検定日、
修理推奨日、
ユーザ情報（ＩＤ、施設名、部署名、担当者名、住所、電話番号、代理店名及びデータベース会員ナンバーのうちの少なくとも１つを含む）、
ピペットニックネーム、及び、
ユーザによる書き込み可能な備考欄
のうちの１以上とを含むことができるが、これらに限定されるわけではない。なお、シリアルコードは、数字やアルファベット、ギリシャ文字、ひらがな、カタカナ等の任意の所定の種類の文字から構成された所定の文字数（例えば、９文字、９若しくは１２文字、又は、９〜１２文字）の文字列である。
【００２４】
１３６は、サーバ１３０が含むか又はサーバ１３０に接続された、ピペット販売会社の１以上の顧客についての情報が記憶されたデータベースを示している。各顧客についての情報は、ＩＤ、施設名、部署名、担当者名、住所、電話番号、代理店名及びデータベース会員ナンバーのうちの少なくとも１つを含むが、これらに限定されるわけではない。
【００２５】
なお、図１においてクライアント１１０及び１２０はそれぞれ１つのみ描かれているが、それぞれ１以上の任意の数であってよい。また、サーバ１３０は、物理的には複数台のコンピュータから構成される場合がある。
【００２６】
１−２  クライアント１１０において表示される画面
以下、クライアント１１０において表示される例示の画面について説明する。
図２Ａは、ピペットを特定するための画面２００を表している。
【００２７】
２０５は、デジタル・カメラにより取り込まれたリアルタイム画像を示している。なお、リアルタイム画像２０５は、後述する記憶されている撮像のためのパラメータが反映された状態で取り込まれ表示されるものである。
【００２８】
２１０は撮影ガイドを示しており、ピペット個体管理のためのアプリケーションは、撮像された画像のうちの撮影ガイド２１０内の画像からシリアルコードの認識を試みることになる。従って、クライアント１１０のユーザは、ピペットのシリアルコードを表すもの（図２Ａにおいては、シリアルコードの文字列）が撮影ガイド２１０内に映るようにクライアント１１０を動かすことを要求される。
【００２９】
２１５は撮影ボタンを示しており、撮影ボタン２１５のタップにより、デジタル・カメラによって画像が撮像され、撮像された画像からのシリアルコードの認識が実行される。以下、シリアルコードの認識を試みる画像のことを、「シリアルコード画像」という。なお、シリアルコード画像はフォーカスのあった画像であることが好ましく、デジタル・カメラは、所定の間隔（例えば５秒）でオートフォーカス処理を行ってもよいし、撮影ボタン２１５がタップされたときにオートフォーカス処理を行ってもよい。
【００３０】
２２０は認識されたシリアルコードが表示された編集可能なテキスト・ボックスを示している。２２５はソフトウエア・キーボードを示しており、認識されたシリアルコードの少なくとも一部が誤っている場合には、ソフトウエア・キーボード２２５によりシリアルコードの少なくとも一部を入力（削除を含む）することにより、テキスト・ボックス２２０に表示されているシリアルコードを訂正可能である。
【００３１】
２３０は決定ボタンであり、決定ボタン２３０のタップにより、データベース１３５からの、テキスト・ボックス２２０に表示されているシリアルコードに関連付けられた１以上のピペットについての情報の取得が実行される。
【００３２】
２３５は、撮像のためのパラメータを変更するための設定ボタンを示している。設定ボタン２３５のタップにより、図示しない設定変更画面が表示され、各種パラメータが変更され、変更されたパラメータがクライアント１１０に記憶される。なお、変更可能な記憶される撮像のためのパラメータは、
デジタル・ズームの倍率、
光学ズームの倍率、
ホワイトバランス（自動、曇り、昼光、蛍光灯、白熱灯、薄明、薄暮、暖色の蛍光灯等）、
ＩＳＯ感度、
シャッター速度、
絞り（Ｆ値）、
ＥＶ値、
アンチバンディング（自動、５０Ｈｚ、６０Ｈｚ、オフ等。カメラの撮像に係る周波数と、例えば光源に係る周波数との関係により、撮像された画像に縞模様が現れることを抑制するための設定。例えば、Ａｎｄｒｏｉｄ  ＯＳのＡＰＩレベル２１以上において利用可能な、ＣａｐｔｕｒｅＲｅｑｕｅｓｔクラスのＣＯＮＴＲＯＬ＿ＡＥ＿ＡＮＴＩＢＡＮＤＩＮＧ＿ＭＯＤＥの設定に相当するもの）、
フラッシュ（自動、撮像時オン、撮像時オフ、赤目軽減、常時オン等）、
シーン（速く動いているもの、自動、バーコード、ビーチ、ローソクの炎のようなあたたかい色、花火、ハイダイナミックレンジ合成、風景、夜、夜の人物、パーティ、人物、雪、スポーツ、友達、夕暮れ、劇場）、
カラーエフェクト（２値化、モノクロ、青のモノクロ、色反転、セピア等）、及び、
フィルタ（アンシャープマスク等）
のうちの１以上であってよい。
【００３３】
図２Ｂは、データベース１３５から取得された１つのピペットについての情報の少なくとも一部を表示するための画面２５０を表している。２５５は、取得されたピペットについての情報の少なくとも一部の表示を示している。２６０は、右にある表示２５５が左にある表示２５５を拡大したものであることを示している。２６５、２７０及び２７５は、ピペットについての各種情報の表示を示している。特に、表示２７０のそれぞれはボタンとしても機能し、各表示２７０をタップすることにより、対応する情報の詳細表示画面（図示せず）が表示される。また、表示２７５はクライアント１１０のユーザが編集可能な備考の表示であり、ボタン２８０をタップすることにより、備考編集画面（図示せず）が表示される。なお、編集された備考はサーバ１３０に送信され、データベース１３５に記憶される。
【００３４】
図２Ｃは、ピペットを特定するための別の画面２９０を表している。
２９２は、ピペットを特定するための情報の入力を受けるためのユーザ・インターフェース・コントロールを示している。画面２９０において入力を受けることができる情報は、シリアルコード、製品コード、製品名及びユーザ情報であり、画面２９０にはこれらに対応したユーザ・インターフェース・コントロールが設けられているが、入力を受けることができるピペットを特定するための情報及び設けられるユーザ・インターフェース・コントロールは、これらに限定されるわけではない。なお、ユーザ・インターフェース・コントロールとは、例えば、テキスト・ボックス、ドロップダウン・リスト・ボックス、ラジオ・ボタン、チェック・ボックスである。
【００３５】
クライアント１１０のユーザは、ユーザ・インターフェース・コントロール２９２の全てに入力する必要はなく、また、１つのユーザ・インターフェース・コントロールに入力される情報は部分的なものであってもよい。例えば、クライアント１１０のユーザは、画面２９０において、シリアルコードの一部のみを入力することができる。
【００３６】
２９４は検索ボタンであり、検索ボタン２９４のタップにより、データベース１３５からの、ユーザ・インターフェース・コントロール２９２が入力を受けたピペットを特定するための情報によって特定された１以上のピペットについての情報の取得が実行される。      
【００３７】
１−３  クライアント１１０が実行する処理
以下、図２Ａ〜２Ｃに関連した、クライアント１１０が実行する例示の処理について説明する。
【００３８】
図３Ａは、クライアント１１０が実行する、ピペットについての情報を表示するための処理３００を表している。
３０５は、画面２００を表示するステップを示している。なお、このステップは、記憶されている撮像のためのパラメータを取得し、反映させるステップ（以下、「パラメータ反映ステップ」という。）を含む。
【００３９】
ここで、パラメータ反映ステップについて、以下に詳述する。クライアント１１０のユーザは、同一の環境において少なくとも一定期間、例えば出先での滞在中に、複数のピペットについての複数のシリアルコード画像を撮像する場合があるところ、環境によってはデフォルトのパラメータが撮影に適していないことがある。また、シリアルコード画像の撮像手法は、クライアント１１０のユーザによって異なることがある。例えば、あるユーザは他のユーザよりも、ピペットとデジタル・カメラとをより接近させてシリアルコード画像を撮像する傾向のある場合がある。パラメータ反映ステップによれば、前の撮影において変更され記憶された撮像のためのパラメータを、後の撮影に反映させることができるために、毎回の撮影においてユーザ毎のより好ましい条件でシリアルコード画像を撮像できる可能性が高まることになる。
【００４０】
３１０は、デジタル・カメラによりシリアルコード画像を撮像するステップを示している。このステップは、撮影ボタン２１５のタップに応答して実行される。
３１５は、撮像されたシリアルコード画像からシリアルコードの少なくとも一部を認識するステップを示している。シリアルコードがピペットに文字列として記されている場合には、ステップ３１５は、シリアルコード画像から光学文字認識（以下、「ＯＣＲ」という。）処理によってシリアルコードを認識するステップであってよい。また、シリアルコードがピペットにバーコードやＱＲコード等の二次元コードにエンコードされて記されている場合には、ステップ３１５は、シリアルコード画像から対応する処理によってシリアルコードを認識するステップであってよい。なお、ステップ３１５は、シリアルコードの全てをソフトウエア・キーボードにより入力する場合には実行されないこともある。
【００４１】
３１６は、認識されたシリアルコードの少なくとも一部をテキスト・ボックス２２０に表示するステップを示している。このステップにより、クライアント１１０のユーザは、シリアルコード画像から認識されたシリアルコードを知ることできる。
【００４２】
３２０は、ソフトウエア・キーボードにより、シリアルコードの少なくも一部の入力を受けるステップを示している。ステップ３２０は、認識されたシリアルコードに誤りがない場合には実行されない。また、ステップ３２０において、シリアルコードの全てがソフトウエア・キーボードにより入力されてもよい。
【００４３】
クライアント１１０は、ステップ３１５においてシリアルコードの少なくとも一部を認識すること、及び、ステップ３２０においてシリアルコードの少なくとも一部の入力を受けることの一方又は双方により、シリアルコード（の全て）を取得することができる。
【００４４】
３２５は、サーバ１３０に、１以上のピペットについての情報を要求するステップを示している。このステップは、決定ボタン２３０のタップに応答して実行される。また、この要求は、取得される情報が取得されたシリアルコードに関連付けられたものとなるように、当該シリアルコードを含むことができる。
【００４５】
３３０は、サーバ１３０から、１以上のピペットについての情報を受信するステップを示している。なお、このステップにおいて受信する１以上のピペットについての情報の各ピペットについての情報は、データベース１３５に記憶された各ピペットについての情報の全てではなく、一部であってよい。例えば、各ピペットについての情報として少なくとも製品名と製品コードとがデータベース１３５に記憶されている場合に、製品名を含むが製品コードを含まない情報が受信されてもよい。
【００４６】
３３５は、受信した１以上のピペットについての情報から、１つのピペットについての情報を選択するステップを示している。ステップ３３５は、情報選択画面（図示せず）を表示するステップを含むことができる。また、ステップ３３０において受信した情報が１つのピペットについての情報のみを含む場合、ステップ３３５は実行されなくともよい。
【００４７】
３４０は、１つのピペットについての情報を表示するために、画面２５０を表示するステップを示している。なお、画面２５０において表示される情報は、サーバ１３０から取得した情報のうちの全てではなく、一部であってよい。例えば、当該１つのピペットについての情報として少なくとも製品名と製品コードとを取得した場合に、製品コードを表示せずに製品名を表示してよい。
【００４８】
処理３００によれば、クライアント１１０のユーザであるピペット販売会社の営業担当者は、出先、例えば、メンテナンスのために訪れた、ピペットを購入したエンドユーザの居所にて迅速にピペットについての情報を参照することができるようになる。
【００４９】
なお、ステップ３３０によれば、サーバ１３０はデータベース１３０から１以上のピペットについての情報を取得し、取得した情報をクライアント１１０に送信していることになるが、このことは、クライアント１３０がデータベース１３０から１以上のピペットについての情報を取得しているともいえることに留意されたい。
【００５０】
また、ステップ３４０における表示がステップ３３０において取得した情報の少なくとも一部に基づくことから、データベース１３５から取得した情報に基づきクライアント１１０への送信のためにサーバ１３０が暗黙的に生成する出力は、取得した１以上のピペットについての情報の少なくとも一部を表示するための出力といえ、更には、ステップ３４０における表示のためにステップ３３０において取得した情報の少なくとも一部に基づきクライアント１１０が暗黙的に生成する出力も、取得した１以上のピペットについての情報の少なくとも一部を表示するための出力といえることに留意されたい。
【００５１】
図３Ｂは、ステップ３１５が含むことのできる、シリアルコード認識処理３５０を表している。なお、シリアルコード認識処理３５０は、シリアルコードが文字列としてピペットに記されている場合に好適なものである。
【００５２】
３５５は、撮像されたシリアルコード画像から文字列を取得するステップを示している。文字列は、汎用ＯＣＲエンジンを用いたＯＣＲ処理によって取得することができる。
なお、ステップ３５５は、シリアルコード画像を分割して、文字列が含まれると判定された部分を絞り込み、当該部分から文字列の取得を試みるステップを含むことができる。
【００５３】
３６０は、ステップ３５５において取得された文字列の数が所定の数であるかを判定するステップを示している。なお、所定の数は、複数用意されていてもよい。従って、ステップ３６０は、例えば、取得された文字列が９又は１２文字であるかを判定するステップ、及び、取得された文字列が９〜１２文字であるかを判定するステップを含む。また、所定の数は、プログラムのソースコードに静的にハードコーディングすること、又は、設定ファイル等からクライアント１１０が動的に読み込むことによって、ステップ３６０の実行前の任意の時点でクライアント１１０に少なくとも一時的に記憶しておくことができる。取得された文字列の数が所定の数である場合、処理はステップ３７０に進み（Ｙ分岐）、そうでない場合、処理はステップ３６５に進む（Ｎ分岐）。
【００５４】
３６５は、ステップ３５５において取得された文字列の数が所定の数でない場合のエラー処理を実行するステップを示している。ステップ３６５の例は、エラーメッセージを表示するステップや、再度デジタル・カメラによるシリアルコード画像の撮像が行われるよう、ステップ３１０に戻るステップであるが、これらに限定されるわけではない。
【００５５】
シリアルコードが含む文字の数は一般的に限定されているため、ステップ３６０及び３６５によれば、文字数の観点から明らかにシリアルコードではない文字列をシリアルコードとして誤認識することを避けることができる。
【００５６】
３７０は、ステップ３５５において取得された文字列に第１の文字が含まれているかを判定するステップを示している。取得された文字列に第１の文字が含まれている場合、処理はステップ３７５に進み（Ｙ分岐）、そうでない場合、処理はステップ３８０に進む（Ｎ分岐）。なお、ステップ３７０は、取得された文字列に１以上の種類の第１の文字のうちの何れかが含まれているかを判定するステップであってよい。
【００５７】
３７５は、取得された文字列に含まれる第１の文字を対応する第２の文字に変更するステップを示している。なお、ステップ３７５は、取得された文字列に含まれる、各々が０以上の数の１以上の第１の文字を、それぞれ、対応する第２の文字に変更するステップであってよい。
【００５８】
ステップ３７０及び３７５について、以下に詳述する。第１の文字の例は、「ｌ」（アルファベット小文字のエル（以下、「小エル」という。））及び「Ｏ」（アルファベット大文字のオー（以下、「大オー」という。））であり、対応する第２の文字の例は、それぞれ、「１」（数字のイチ（以下、「イチ」）という。）及び「０」（数字のゼロ（以下、「ゼロ」という。））である。従って、例えば、第１の文字として「ｌ」（エル）及び「Ｏ」（オー）が、それぞれ対応する第２の文字として「１」（イチ）及び「０」（ゼロ）が定義され、ステップ３５５において取得された文字列が「Ｏ０Ｏｌ２３４５６」（最初の４文字は、大オー、ゼロ、大オー、小エル）である場合に、ステップ３７０及び３７５を実行することによって、文字列「０００１２３４５６」（最初の４文字は、ゼロ、ゼロ、ゼロ、イチ）が得られることになる。即ち、ステップ３７０及び３７５によれば、ある文字を、紛らわしい別の文字として誤認識することを避けることができる。シリアルコードとして用いられる文字の種類は、一般的に限定されており、この処理は、シリアルコードとして用いられる文字が、シリアルコードとして用いられない別の文字と紛らわしい場合に、特に有用である。
【００５９】
なお、第１の文字及び対応する第２の文字は１文字である必要はないし、両者の文字数は異なっていてもよい。例えば、第１の文字を「ｒｉ」、対応する第２の文字を「ｎ」としてもよい。また、第１の文字及び対応する第２の文字の１以上の組は、プログラムのソースコードに静的にハードコーディングすること、又は、設定ファイル等からクライアント１１０が動的に読み込むことによって、ステップ３７０の実行前の任意の時点でクライアント１１０に少なくとも一時的に記憶しておくことができる。
【００６０】
３８０は、ステップ３７０及び３７５の実行の結果得られた文字列を、認識されたシリアルコードとして出力するステップを示している。
シリアルコード認識処理３５０によれば、画像から不定の文字数の文字列を認識し、認識する文字を細かく制限できない汎用のＯＣＲエンジンを用いて、シリアルコードに特化した認識を行うことができるようになる。なお、シリアルコード認識処理３５０において、ステップ３６０及び３６５と、ステップ３７０及び３７５との一方は、省略してもよい。また、ステップ３６０の判定は、ステップ３７０の判定の後に行ってもよい。その場合、ステップ３６０において文字数が判定される文字列は、ステップ３７０及び３７５の実行の結果得られた文字列であろう。
【００６１】
図３Ｃは、クライアント１１０が実行する、ピペットについての情報を表示するための別の処理３９０を表している。
処理３００に含まれるステップとは異なるステップについて、以下に述べる。３９２は、画面２９０を表示するステップを示している。３９４は、ユーザ・インターフェース・コントロール２９２を介して、ピペットを特定するための情報の入力を受けるステップを示している。３９６は、サーバ１３０に、１以上のピペットについての情報を要求するステップを示している。ステップ３９６は、検索ボタン２９４のタップに応答して実行される。また、この要求は、取得される情報がステップ３９４において入力を受けたピペットを特定するための情報により特定されるピペットについてのものとなるように、当該ピペットを特定するための情報を含むことができる。
【００６２】
処理３９０によれば、クライアント１１０のユーザであるピペット販売会社の営業担当者は、出先、例えば、メンテナンスのために訪れた、ピペットを購入したエンドユーザの居所にて迅速にピペットについての情報を参照することができるようになる。
【００６３】
１−４  クライアント１２０において表示される画面
以下、クライアント１２０において表示される例示の画面について説明する。
図４Ａは、ピペットについてユーザ登録を行うための画面４００を表している。なお、
画面４００が表示される前に、クライアント１２０のユーザは、任意の手法によりサーバ１３０にログインし、クライアント１２０は、ユーザを特定する情報（例えば、サーバ１３０においてユーザと関連付けられて少なくとも一時的に記憶されるセッションＩＤ）をサーバ１３０に送信できるものとする。
【００６４】
４０５は、ピペットのシリアルコードを入力するためのテキスト・ボックスである。クライアント１２０のユーザは、ピペットのシリアルコードをテキスト・ボックス４０５に入力することを要求される。
【００６５】
４１０は、ピペットの製品名を入力するためのドロップダウン・リスト・ボックスである。クライアント１２０のユーザは、ピペットの製品名をドロップダウン・リスト・ボックス４１０から選択することを要求される。なお、ドロップダウン・リスト・ボックス４１０は必須ではない。
【００６６】
４１５は、ピペットの容量を入力するためのドロップダウン・リスト・ボックスである。ドロップダウン・リスト・ボックス４１５が含む容量の選択肢は、ドロップダウン・リスト・ボックス４１０における製品名の選択に応答して変更され、ドロップダウン・リスト・ボックス４１５には、選択された製品名の製品に存在する容量のみが選択肢として含まれるようになる。クライアント１２０のユーザは、ピペットの容量をドロップダウン・リスト・ボックス４１５から選択することを要求される。なお、ドロップダウン・リスト・ボックス４１５は必須ではない。
【００６７】
４２０は、テキスト・ボックス４０５に入力されたシリアルコードのピペットを登録するためのボタンを示している。ボタン４２０の押下により、クライアント１２０は、ユーザを特定するための情報と、入力されたシリアルコードとを含む、ピペットについてのユーザ登録要求をサーバ１３０に送信することになる。ユーザ登録要求は、選択された製品名及び選択された容量を特定する情報を更に含むことができる。
【００６８】
図４Ｂは、１以上のピペットについての情報を検索するための画面４５０を表している。なお、画面４５０が表示される前に、クライアント１２０のユーザは、任意の手法によりサーバ１３０にログインし、クライアント１２０は、ユーザを特定する情報をサーバ１３０に送信できるものとする。
【００６９】
４５５は、ピペットのシリアルコードを入力するためのテキスト・ボックスである。クライアント１２０のユーザは、ピペットのシリアルコードをテキスト・ボックス４５５に入力することを要求される。なお、入力されるシリアルコードは、一部であってもよい。
【００７０】
４６０は、ピペットの製品名を入力するためのドロップダウン・リスト・ボックスである。クライアント１２０のユーザは、ピペットの製品名をドロップダウン・リスト・ボックス４６０から選択することを要求される。
【００７１】
４６５は、ピペットの容量を入力するためのドロップダウン・リスト・ボックスである。ドロップダウン・リスト・ボックス４６５が含む容量の選択肢は、ドロップダウン・リスト・ボックス４６０における製品名の選択に応答して変更され、ドロップダウン・リスト・ボックス４６５には、選択された製品名の製品に存在する容量のみが選択肢として含まれるようになる。クライアント１２０のユーザは、ピペットの容量をドロップダウン・リスト・ボックス４６５から選択することを要求される。
【００７２】
なお、シリアルコードの少なくとも一部、製品名及び容量は、ピペットを特定するための情報の一例である。従って、画面４５０は、ピペットを特定可能な別の情報を入力・選択するためのユーザ・インターフェース・コントロールを、テキスト・ボックス４５５並びにドロップダウン・リスト・ボックス４６０及び４６５に代えて又は加えて含むことができる。
【００７３】
４７０は、ピペットの検索を実行するためのボタンを示している。ボタン４７０の押下により、クライアント１２０は、ユーザを特定する情報と、上記ピペットを特定するための情報とを含むピペット情報検索要求をサーバ１３０に送信することになる。
【００７４】
４７５は、ピペット情報検索要求に対してサーバ１３０から受信した、１以上のピペットについての情報の少なくとも一部の表示を示している。従って、表示４７５は、画面４５０の表示直後は空欄であり、１以上のピペットについての情報の受信に応答して更新されてよい。表示４７５の所定の部分はボタンとしても機能し、当該部分をタップすることにより、対応する情報の詳細表示画面（図示せず）が表示される。
【００７５】
１−５  サーバ１３０が実行する処理
以下、図４Ａ及び４Ｂに関連した、サーバ１３０が実行する例示の処理について説明する。
【００７６】
図５Ａは、図４Ａに関連して説明したユーザ登録要求に関し、サーバ１３０が実行するユーザ登録処理５００を表している。
５０５は、ユーザ登録要求を受信したかを判定するステップを示している。受信したと判定した場合（Ｙ分岐）、処理はステップ５１０に進み、そうでない場合（Ｎ分岐）、処理はステップ５０５に戻る。なお、ステップ５０５及びそのＮ分岐は、ユーザ登録要求を待ち受けるステップの一例である。
【００７７】
５１０は、ユーザ登録要求に含まれているユーザを特定する情報を用いて、ユーザ情報を取得するステップを示している。ステップ５１０は、１以上のピペットについての情報が記憶されたデータベース１３５とは異なる、１以上の顧客についての情報が記憶されたデータベース１３６から、ユーザを特定する情報により特定されるユーザ（顧客）のユーザ情報（例えば、ＩＤ、施設名、部署名、担当者名、住所、電話番号、代理店名及びデータベース会員ナンバーのうちの少なくとも１つ）を取得するステップであってよい。
【００７８】
５１５は、ユーザ登録要求に含まれているシリアルコードを用いて、ピペットを特定するステップを示している。ステップ５１５は、１以上のピペットについての情報が記憶されたデータベース１３５を検索して、シリアルコードが同じであるピペットを特定するステップであってよい。
【００７９】
５２０は、ステップ５１５において特定されたピペットについての情報に、ステップ５１０において取得したユーザ情報を追加するステップを示している。ステップ５２０を実行することにより、ユーザ登録要求に含まれるシリアルコードにより特定されるピペットについての情報は、ユーザ登録要求に含まれるユーザを特定する情報により特定されるユーザ（顧客）に関連付けられることになる。なお、ユーザ登録要求に含まれる他の情報も、同様に、特定されたピペットについての情報に追加することができる。
【００８０】
なお、ステップ５１５及び５２０は、１つのステップと考えてもよい。例えば、ステップ５１５及び５２０は、１つのＳＱＬ文を発行することによって実行することができる。
ステップ５１０〜５２０について、図６Ａ及び６Ｂを参照して以下に詳述する。図６Ａ及び６Ｂは、それぞれ、ステップ５２０が実行される前後のデータベース１３５の例示の内容６００Ａ及び６００Ｂを表す図である。例示の内容６００Ａ及び６００Ｂはテーブル形式で１以上のピペットについての情報を記憶したものであり、各行（最初の行６０５を除く）は各ピペットに対応し、各列は１つのピペットについての情報に含まれる各種情報に対応している。最初の行６０５は各列即ち各種情報のフィールド名を示している。６１０は、ステップ５１５において特定されたピペットに対応した行を示している。「…」及び「…」を９０度回転させたものは、省略を示している。ステップ５２０の実行前のデータベースの例示の内容６００Ａにおいて、行６１０のＩＤ及び施設名の列は空欄である。一方で、ステップ５２０の実行後のデータベースの例示の内容６００Ｂにおいて、行６１０のＩＤ及び施設名の列には、ステップ５１０において取得されたユーザ情報即ちＩＤ「ａｂｃｄｅｆｇｈ」及び施設名「施設Ａ」が追加されている。
【００８１】
このように、ユーザ登録処理５００によれば、顧客についての情報と、ピペットについての情報とを別々に管理している場合に、両者を結びつけるという作業を、クライアント１２０のユーザ、即ち、ピペット販売会社の側ではなくピペットを購入したエンドユーザ（顧客）の側で行うことにより、ピペット販売会社の負担を減少させることができるようになる。
【００８２】
図５Ｂは、図４Ｂに関連して説明したピペット情報検索要求に関し、サーバ１３０が実行するピペット情報検索処理５５０を表している。
５５５は、ピペット情報検索要求を受信したかを判定するステップを示している。受信したと判定した場合（Ｙ分岐）、処理はステップ５６０に進み、そうでない場合（Ｎ分岐）、処理はステップ５５５に戻る。なお、ステップ５５５及びそのＮ分岐は、ピペット情報検索要求を待ち受けるステップの一例である。
【００８３】
５６０は、ピペット情報検索要求に含まれているユーザを特定する情報を用いて、１以上のピペットについての情報が記憶されたデータベース１３５から、１以上のピペットについての情報を取得するステップを示している。ステップ５６０において取得される情報は、ユーザを特定する情報により特定されるユーザに関連付けられたものである。
【００８４】
５６５は、ピペット情報検索要求に含まれるピペットを特定する情報を用いて、ステップ５６０において取得された情報を絞り込むステップを示している。ステップ５６０における絞り込みの結果、ピペットを特定する情報により特定されるピペットに該当しないピペットについての情報が、ステップ５６０において取得された情報から除外されることになる。
【００８５】
なお、ステップ５６０として、ユーザを特定する情報ではなくピペットを特定する情報を用いて１以上のピペットについての情報を取得し、ステップ５６５として、ピペットを特定する情報ではなくユーザを特定する情報を用いて取得した情報を絞り込んでもよい。また、ステップ５６０及び５６５は、１つのステップと考えてもよい。例えば、ステップ５６０及び５６５は、１つのＳＱＬ文を発行することによって実行することができる。
【００８６】
５７０及び５７５は、それぞれ、絞り込まれたピペットについての情報の少なくとも一部を表示するための出力を生成するステップ、及び、ピペット情報検索要求に対する応答として生成された出力をクライアント１２０に返信するステップを示している。クライアント１２０は、返信された出力に基づき、表示４７５（図４Ｂ）を更新する。
【００８７】
ピペット情報検索処理５５０によれば、ユーザ登録処理５００等によってピペットのユーザ登録がなされない限り、クライアント１２０のユーザは、当該ピペットについての情報を得ることができないことになる。ピペット情報検索処理５５０によって得られる情報には、ユーザにとって有用なものもあり（節１−１において例示した、データベース１３５に記憶される各ピペットについての情報を参照。）、従って、ピペット情報検索処理５５０によれば、ピペットのユーザに対し、当該ピペットのユーザ登録に対するインセンティブを与えることになる。
【００８８】
２  本発明の別の実施形態
図７Ａは、本発明の別の実施形態であるピペット個体管理システム７００の一例を表す図である。クライアント７１０は、クライアント１１０及び１２０の双方の機能を有するクライアントである。従って、クライアント７１０は、撮像装置としてのデジタル・カメラを備えたスマートフォンであってよく、クライアント７１０には、ピペット個体管理のためのアプリケーションと、ウェブブラウザとの双方がインストールされている。ピペット個体管理システム７００のその他の構成は、ピペット個体管理システム１００と同一であってよい。
【００８９】
図７Ｂは、本発明のまた別の実施形態であるピペット個体管理システム７５０の一例を表す図である。クライアント／サーバ７６０は、クライアント１１０及び１２０並びにサーバ１３０の全ての機能を有するコンピュータである。
【００９０】
３  コンピュータ
以下、クライアント１１０及び１２０並びにサーバ１３０として用いることができるコンピュータの、ハードウエア構成の一例について説明する。
【００９１】
図８は、コンピュータのハードウエア構成の一例を表している。同図に示すように、コンピュータ１０００は、ハードウエア資源として、主に、プロセッサ１０１０と、主記憶装置１０２０と、補助記憶装置１０３０と、ユーザインターフェース１０４０と、通信インターフェース１０５０とを備えており、これらはアドレスバス、データバス、コントロールバス等を含むバスライン１０６０を介して相互に接続されている。なお、バスライン１０６０と各ハードウエア資源との間には適宜インターフェース回路（図示せず）が介在している場合もある。
【００９２】
プロセッサ１０１０は、コンピュータ全体の制御を行う。
主記憶装置１０２０は、プロセッサ１０１０に対して作業領域を提供し、ＳＲＡＭ、ＤＲＡＭ等の揮発性メモリである。
【００９３】
補助記憶装置１０３０は、ソフトウエアであるプログラム等やデータ等を格納する、ハードディスクドライブ、フラッシュメモリ等の不揮発性メモリである。当該プログラムは、任意の時点で補助記憶装置１０３０からバスライン１０６０を介して主記憶装置１０２０へとロードされる。
【００９４】
ユーザインターフェース１０４０は、ユーザに情報を提示すること及びユーザから情報の入力を受けることの一方又は双方を行うものであり、デジタル・カメラ、キーボード、マウス、ディスプレイ、タッチパネルディスプレイ、マイク、スピーカ等である。
【００９５】
通信インターフェース１０５０は、ネットワーク１４０と接続されるものであり、ネットワーク１４０を介してデータを送受する。通信インターフェース１０５０とネットワーク１４０とは、有線又は無線で接続されうる。通信インターフェース１０５０は、ネットワークに係る情報、例えば、Ｗｉｆｉのアクセスポイントに係る情報、通信キャリアの基地局に関する情報等も取得することがある。
【００９６】
上に例示したハードウエア資源とソフトウエアとの協働により、コンピュータは、所望の手段として機能し、所望のステップを実行し、所望の機能を実現させることに留意されたい。
【００９７】
４  むすび
以上、本発明の実施形態を説明してきたが、これらは例示にすぎず、本発明の技術的範囲を限定するものではないことが理解されるべきである。本開示の趣旨及び範囲から逸脱することなく、実施形態の変更、追加、改良などを適宜行うことができることが理解されるべきである。本発明の技術的範囲は、上述した実施形態のいずれによっても限定されるべきではなく、特許請求の範囲及びその均等物によってのみ規定されるべきである。
【符号の説明】
【００９８】
１００、７００、７５０…ピペット個体管理システム
１１０，１２０、７１０、７６０…クライアント
１３０、７６０…サーバ
１３５…１以上のピペットについての情報を記憶したデータベース
１３６…１以上の顧客についての情報を記憶したデータベース
１４０…ネットワーク
２００、２９０…ピペットを特定するための画面
２０５…デジタル・カメラにより取り込まれたリアルタイム画像
２１０…撮影ガイド
２１５…撮影ボタン
２２０…取得されるシリアルコードが表示されるテキスト・ボックス
２２５…ソフトウエア・キーボード
２３０…決定ボタン
２３５…設定ボタン
２５０…ピペットについての情報の少なくとも一部を表示するための画面
２５５…ピペットについての情報の少なくとも一部の表示
２６０…左の表示２５５を拡大したものが右の表示２５５であることを示している
２６５、２７０、２７５…ピペットについての各種情報の表示
２８０…備考編集ボタン
２９２…ピペットを特定するための情報の入力を受けるためのユーザ・インターフェース・コントロール
２９４…検索ボタン
３００、３９０…ピペットについての情報を表示するための処理
３５０…シリアルコード認識処理
４００…ピペットについてユーザ登録を行うための画面
４０５、４５５…シリアルコードを入力するためのテキスト・ボックス
４１０、４６０…製品名を選択するためのドロップダウン・リスト・ボックス
４１５、４６５…容量を選択するためのドロップダウン・リスト・ボックス
４２０…登録ボタン
４５０…１以上のピペットについての情報を検索するための画面
４７０…検索ボタン
４７５…１以上のピペットについての情報の少なくとも一部の表示
５００…ユーザ登録処理
５５０…ピペット情報検索処理
６００Ａ、６００Ｂ…データベース１３５の例示の内容
６０５…フィールド名を表す行
６１０…特定されたピペットに対応した行
【図１】
2018152111.tif 000003
【図２Ａ】
2018152111.tif 000004
【図２Ｂ】
2018152111.tif 000005
【図２Ｃ】
2018152111.tif 000006
【図３Ａ】
2018152111.tif 000007
【図３Ｂ】
2018152111.tif 000008
【図３Ｃ】
2018152111.tif 000009
【図４Ａ】
2018152111.tif 000010
【図４Ｂ】
2018152111.tif 000011
【図５Ａ】
2018152111.tif 000012
【図５Ｂ】
2018152111.tif 000013
【図６Ａ】
2018152111.tif 000014
【図６Ｂ】
2018152111.tif 000015
【図７Ａ】
2018152111.tif 000016
【図７Ｂ】
2018152111.tif 000017
【図８】
2018152111.tif 000018